【事件の表示】
　平成１０年特許願第２８９０５１号「固体撮像装置」拒絶査定不服審判事件〔平成１２年　４月２８日出願公開、特開２０００−１２５３１０〕について、次のとおり審決する。
【結　論】
　本件審判の請求は、成り立たない。
【理　由】
　
第１　経緯
　
１　手続
　本願は、平成１０年１０月１２日の出願であって、平成１９年６月２９日付けで拒絶査定がなされたものである。
　本件は、本願についてなされた上記拒絶査定を不服として平成１９年８月１日付けで請求された拒絶査定不服審判であって、平成１９年８月３０日付けで手続補正がなされたものである。
　
２　査定
　原査定の拒絶の理由は概略、以下のとおりである。
　
　　　　　　　　　　　　　　 理　由
　この出願の請求項１ないし５に係る発明は、その出願前日本国内において頒布された下記の刊行物に記載された発明に基づいて、その出願前にその発明の属する技術の分野における通常の知識を有する者が容易に発明をすることができたものであるから、特許法第２９条第２項の規定により特許を受けることができない。
　　　　　　　　　　　　　　　　記
　引用文献１：特開平９−１１６１２７号公報
　引用文献２：特開平９−１４８５４９号公報
　引用文献５：特開平２−１４３５６１号公報
　引用文献７：特開平１−１８８０９２号公報
　
第２　補正却下の決定
　平成１９年８月３０日付けの手続補正について、以下のとおり決定する。
　
［補正却下の決定の結論］
　平成１９年８月３０日付けの手続補正を却下する。
　
［理由］
１　補正前発明
　拒絶査定の対象となった平成１９年３月２２日付け手続補正書の特許請求の範囲の請求項１に記載された発明（以下、「補正前発明」ともいう。）は以下のとおりである。
　
　「【請求項１】　入射光に応じた電気信号を生成する複数の受光素子が２次元に配列された撮像手段と、
　前記複数の受光素子のそれぞれに対応して分解色に応じて配列された色分解フィルタセグメントを有し、該色フィルタセグメントのそれぞれは、被写界からの入射光を各分解色の内のいずれかの色の入射光に分解して前記複数の受光素子のそれぞれに入射させる色分解フィルタと、
　前記受光素子の入射光の側に配設され、前記受光素子の分解色のそれぞれの光電変換効率に応じた形状を有する導光部材とを含み、
　前記導光部材は、前記受光素子の感度が最も低い分解色での前記入射光の照射量を最も多くする形状にし、他の各分解色の感度が高くなるにつれて前記入射光の照射量を少なくする形状にすることを特徴とする固体撮像装置。」
　
２　補正後発明
　これに対し、平成１９年８月３０日付け手続補正書（以下、「本件補正」ともいう。）の特許請求の範囲の請求項１に記載された発明は以下のとおりである。
　
　「【請求項１】　入射光に応じた電気信号を生成する複数の受光素子が２次元に配列された撮像手段と、
　前記複数の受光素子のそれぞれに対応して分解色に応じて配列された色分解フィルタセグメントを有し、該色フィルタセグメントのそれぞれは、被写界からの入射光を各分解色の内のいずれかの色の入射光に分解して前記複数の受光素子のそれぞれに入射させる色分解フィルタと、
　前記受光素子の入射光の側に配設され、前記受光素子の分解色のそれぞれの光電変換効率に応じた形状を有する導光部材とを含み、
　前記導光部材は、前記受光素子の感度が最も低い色分解の赤色フィルタセグメントを有する受光素子での前記入射光の照射量を最も多くする形状にし、次に青色フィルタセグメント、さらに緑色フィルタセグメントを有する受光素子の感度が高くなるにつれて前記入射光の照射量を少なくする形状にすることを特徴とする固体撮像装置。」
　
３　補正の目的の適否
　本件補正は、補正前発明の発明特定事項である導光部材に関し、「受光素子の感度が最も低い分解色」を、「受光素子の感度が最も低い色分解の赤色フィルタセグメントを有する受光素子」と限定し、「他の各分解色」を、「次に青色フィルタセグメント、さらに緑色フィルタセグメントを有する受光素子」と限定するものであるから、特許法第１７条の２第４項第２号で規定する特許請求の範囲の減縮を目的とするものに該当する。
　
４　独立特許要件
　本件補正は、上記のとおり、特許請求の範囲の減縮を目的としたものである。
　そこで、本件補正後の請求項１に記載された発明（以下、「本件発明」ともいう。）が独立特許要件（特許法第１７条の２第５項において準用する同法１２６条第５項の規定）を満たすか否かについて以下に検討する。
　
（１）刊行物１の記載
　原査定の拒絶の理由で引用された、本願出願日前である平成元年７月２７日に頒布された特開平１−１８８０９２号公報（以下、「刊行物１」ともいう。）には、「カラー固体撮像素子板」（発明の名称）に関して、図面と共に以下の記載がある。
　
（ア：第１頁左下欄第５行〜第１６行）
「２．特許請求の範囲
　固体撮像素子の受光面に存在する感光部（複数）上に色分離フィルター層を有し、かつ該色分離フィルター層の上又は下に、上記色分離フィルター層を構成するモザイク状に配置された各色フィルター素子の分光透過率特性を固体撮像素子の分光感度特性による出力レベルの変化に応じて前記各フィルターの有効面積をＢ（青色）が最も大きく、次いでＧ（緑色）、Ｒ（赤色）の順の大きさになるような遮光層を前記各色フィルター素子の各境界部毎に有することを特徴とするカラー固体撮像素子板。」
　
（イ：第１頁左下欄第１７行〜右下欄第１行）
「３．発明の詳細な説明
　本発明は、カラー固体撮像素子板に関し、更に詳しくは１個の固体撮像素子から２種以上の色信号を取り出す単板方式あるいは２板方式のカラー固体撮像素子板に関する。」
　
（ウ：第１頁右下欄第２行〜第２頁左下欄第１行）
「固体撮像カラーカメラはＣＣＤ、ＭＯＳ、ＢＢＤ等の固体撮像素子の各画素に対向させてモザイク状あるいはストライプ状の色分離フィルター、例えば赤、緑、青（以後、それぞれＲ、Ｇ、Ｂと略記する）の各フィルター素子を配置することによりＲ、Ｇ、Ｂのカラー信号を取り出している。固体撮像素子はＳｉ面上に複雑な電極構造があり各電極の吸収等により、たとえば第１図に示すごとく分光感度特性は可視域の短波長領域の分光感度が悪いという傾向がある。第１図はＣＣＤの分光感度特性であるが、ＣＣＤ以外のＭＯＳ、ＢＢＤ等でもＳｉを使用しているので短波長領域に吸収を生じ分光感度は第１図に示したものと同様の傾向を示す。
　このような固体撮像素子を用いてカラーカメラを構成するには色分離フィルターを介してカラー信号を得る必要があるが、たとえばＲ、Ｇ、Ｂの各フィルター素子を配置した色分離フィルターの各フィルター素子の分光特性は一般に第２図に示す特性をもつ。このような色分離フィルターとしては有機系樹脂を染料で着色した有機染色フィルター、ダイクロイックフィルター等がある。
　第３図に固体カラーカメラの光学系の一例を示すが、撮像レンズ１により被写体を固体撮像素子４の感光部領域に結像させる。色分離フィルター層３の各フィルター素子は固体撮像素子４の各画素に対応させて配置する。色分離フィルター層の配置法としては、色分離フィルター層を透明基板上に形成した色分離フィルターと固体撮像素子の間にリレーレンズを介して対応させる方法（以下、リレーレンズ法という）、色分離フィルター層を透明支持体上に形成した色分離フィルターを固体撮像素子の各画素に対応して接着剤により貼り合わせる方法（以下、貼合せ法という）及び固体撮像素子上に直接色分離フィルター層を加工配置する方法（以下、直接法という）がある。第３図は直接法の例を示す。第３図示の如く、固体撮像素子４に直接色分離フィルター層を設けた素子を本明細書において便宜上カラー固体撮像素子板という。また、固体撮像素子では特に近赤外部での感度が大きいことと、色分離フィルターが近赤外部で透過特性を有することのために、不要信号の重畳となって輝度及び色度誤差を生じることを防ぐため通常赤外線カットフィルター２を色分離フィルター３と撮像レンズ１の間に配置する。第４図に赤外線カットフィルターの分光透過率特性を示す。
　以上より固体撮像カラーカメラの固体撮像素子の各カラー信号の総合感度は第５図に示すようになる。さらに、第６図に固体撮像素子から得られる各カラー信号の出力を示す。
　このように各カラー信号の出力レベルが大きく異なってしまう。例えばＢ信号はＧ信号の１／３〜１／４の出力となる。このような場合Ｒ信号あるいはＧ信号がＢ信号へ混入したり、Ｂ信号が相対的に小さいために生じるＢ信号のＳ／Ｎ劣化が生じカラーカメラとしての色再現性を著しく劣化させる。」
　
（エ：第２頁左下欄第２行〜第６行）  
「本発明の目的は、上記のような各カラー信号出力レベルが大きく異なる問題を改善したカラー固体撮像素子板の提供、すなわち出力レベルを揃えるようにしたカラー固体撮像素子板の提供にある。」
　
（オ：第２頁左下欄第７行〜第２０行） 
「本発明は、総合感度特性が各カラーの出力レベルが一定になるようにするためモザイク状あるいはストライプ状の色分離フィルターのフィルター素子の大きさを固体撮像素子の分光感度特性による出力レベルの変化に応じたものとするため固体撮像素子の受光面に存在する感光部（複数）上に形成したフィルター素子の上又は下に設けた遮光層で調整することにより信号レベルを揃えるようにしたことを特徴とする。より具体的には固体撮像素子は第１図に示す如く短波長領域の感度が悪いためＲフィルター素子、Ｇフィルター素子の順にフィルター素子の有効領域を遮光層を使って小さくしてＢフィルター素子からの出力レベルと同じようにする。」
　
（カ：第２頁右下欄１行〜第３頁右上欄第１行）
「以下、上記の本発明についてフレーム転送方式ＣＣＤの場合を例にとり図面を参照しつつ詳細に説明する。第７図（ａ）は本発明に係るカラー固体撮像素子板の一部切欠平面図であり、第７図（ｂ）は第７図（ａ）における　VII−VII線切断部断面図である。固体撮像素子１１の受光面に存在する感光部１４及び非感光部１５の少なくとも感光部１４上にストライプ状色分離フィルターＲ、Ｇ、Ｂが形成され、その上に遮光層１３が形成される。該遮光層１３は非感光部１５をもおおうことにより非感光部１５への光も遮断することができるので好ましい。尚、図中、Ｑは感光部１４を構成する各画素を表わす。Ｒ、Ｇ、Ｂのストライプ状色分離フィルター素子は各画素Ｑに対応して配置されている。第７図（ａ）及び（ｂ）に示す如く、固体撮像素子の感光部１４領域に配置されるフィルター素子Ｒ、Ｇ、Ｂの有効面積を遮光層の調整によりＢ、Ｇ、Ｒの順に大きくする。
　本発明のカラー固体撮像素子板上に設ける色分離フィルター層はストライプ状のものだけでなく第７図（ｃ）に示す如くモザイク状の場合も同様である。上記においてはフレーム転送方式ＣＣＤの固体撮像素子を例にとって説明したが、インターライン転送方式ＣＣＤの場合、第８図のような形状としても良い。尚、第８図は色分離フィルター貼合せ後の一部切欠平面図である。フレーム転送方式の場合も第８図の形状の色分離フィルターとしても良く、またインターライン転送方式ＣＣＤの場合も第７図（ａ）に示すごとくストライプ状としても良い。上記色分離フィルター層には有機染色フィルター層あるいはダイクロイックフィルター層などが適用できる。
　このような本発明のカラー固体撮像素子板を用いて第３図に示す光学素により被写体を撮像すると、Ｒ、Ｇ、Ｂ各フィルター素子の分光透過率特性が第２図に示すものであるとすると、総合感度は第９図に示すようになり、Ｒ、Ｇ、Ｂの各カラー信号は第１０図のようになり、各出力信号が均一化し、出力レベルの高い信号が低出力レベル信号へ混入する等の問題が改善でき高品質のカラー画像が得られる。」
（刊行物１の記載、以上）
　
（２）刊行物１に記載された発明
（ａ）カラー固体撮像素子板
　摘示した（イ）の記載によれば、刊行物１には、『カラー固体撮像素子板』の発明が記載されていることは明らかである。
　さらに、（カ）の「第７図（ａ）は本発明に係るカラー固体撮像素子板の一部切欠平面図であり・・・固体撮像素子１１の受光面に存在する感光部１４及び非感光部１５の少なくとも感光部１４上にストライプ状色分離フィルターＲ、Ｇ、Ｂが形成され、その上に遮光層１３が形成される。」によれば、刊行物１には、
　上記『カラー固体撮像素子板』が、『固体撮像素子』と、『色分離フィルター』と、『遮光層』とを備える
ことが記載されている。
　
（ｂ）固体撮像素子
　（ウ）の「固体撮像カラーカメラはＣＣＤ、ＭＯＳ、ＢＢＤ等の固体撮像素子の各画素に対向させてモザイク状あるいはストライプ状の色分離フィルター、例えば赤、緑、青（以後、それぞれＲ、Ｇ、Ｂと略記する）の各フィルター素子を配置することによりＲ、Ｇ、Ｂのカラー信号を取り出している。・・・撮像レンズ１により被写体を固体撮像素子４の感光部領域に結像させる。」、（カ）の「固体撮像素子１１の受光面に存在する感光部１４及び非感光部１５の少なくとも感光部１４上にストライプ状色分離フィルターＲ、Ｇ、Ｂが形成され、その上に遮光層１３が形成される。・・・Ｑは感光部１４を構成する各画素を表わす。」、及び、第７図（ａ）によれば、刊行物１には、
　『撮像レンズにより被写体を感光部領域に結像させる固体撮像素子であって、各画素に対向させてモザイク状あるいはストライプ状のフィルター素子Ｒ、Ｇ、Ｂを配置することによりカラー信号が取り出され、受光面に存在する感光部が各画素を構成する固体撮像素子』
が記載されている。
　
（ｃ）色分離フィルター
　（カ）の「固体撮像素子１１の受光面に存在する感光部１４及び非感光部１５の少なくとも感光部１４上にストライプ状色分離フィルターＲ、Ｇ、Ｂが形成され、・・・Ｑは感光部１４を構成する各画素を表わす。Ｒ、Ｇ、Ｂのストライプ状色分離フィルター素子は各画素Ｑに対応して配置されている。」によれば、刊行物１には、
　『固体撮像素子の受光面に存在する感光部上に色分離フィルター素子Ｒ、Ｇ、Ｂが形成される色分離フィルター』
が記載されている。
　
（ｄ）遮光層
　（オ）の「総合感度特性が各カラーの出力レベルが一定になるようにするためモザイク状あるいはストライプ状の色分離フィルターのフィルター素子の大きさを固体撮像素子の分光感度特性による出力レベルの変化に応じたものとするため固体撮像素子の受光面に存在する感光部（複数）上に形成したフィルター素子の上又は下に設けた遮光層で調整することにより信号レベルを揃えるようにした」、（カ）の「固体撮像素子の感光部１４領域に配置されるフィルター素子Ｒ、Ｇ、Ｂの有効面積を遮光層の調整によりＢ、Ｇ、Ｒの順に大きくする。」によれば、刊行物１には、
　『色分離フィルターのフィルター素子Ｒ、Ｇ、Ｂの上又は下に設けられ、固体撮像素子の分光感度特性による出力レベルの変化に応じてフィルター素子Ｒ、Ｇ、Ｂの有効面積を調整する遮光層』
が記載されている。
　
（ｅ）有効面積
　第１図、第２図、第３図によれば、
・第１図に示すとおり、固体撮像素子（ＣＣＤ）の分光感度特性は、短波長領域で相対感度が悪く、波長が長くなるにつれて相対感度が良くなる特性を有しており、
・第２図に示すとおり、色分離フィルターの分光特性は、青色フィルター素子Ｂが短波長領域の光を多く透過し、緑色フィルター素子Ｇが中波長領域の光を多く透過し、赤色フィルター素子Ｒが長波長領域の光を多く透過するものであり、
・第３図に示すとおり、青色、緑色、赤色フィルター素子Ｒ、Ｇ、Ｂから透過された光は、固体撮像素子の各画素の感光部にそれぞれ入射され、
・一般的に、青色フィルター素子Ｂを透過した短波長領域の光、緑色フィルター素子Ｇを透過した中波長領域の光、赤色フィルター素子Ｒを透過した長波長領域の光は、それぞれ青色、緑色、赤色に色分離されているといえ、
　これらのことから、
　固体撮像素子の感光部の相対感度は、青色フィルター素子Ｂにより青色に色分離された光の相対感度が最も悪く、次に緑色フィルター素子Ｇにより緑色に色分離された光の相対感度が悪く、赤色フィルター素子Ｒにより赤色に色分離された光の相対感度が最も良いといえる。
　
　さらに、（ア）の「各色フィルター素子の分光透過率特性を固体撮像素子の分光感度特性による出力レベルの変化に応じて前記各フィルターの有効面積をＢ（青色）が最も大きく、次いでＧ（緑色）、Ｒ（赤色）の順の大きさになるような遮光層を前記各色フィルター素子の各境界部毎に有する」、（オ）の「固体撮像素子は第１図に示す如く短波長領域の感度が悪いためＲフィルター素子、Ｇフィルター素子の順にフィルター素子の有効領域を遮光層を使って小さくしてＢフィルター素子からの出力レベルと同じようにする。」、（カ）の「感光部１４上にストライプ状色分離フィルターＲ、Ｇ、Ｂが形成され、その上に遮光層１３が形成される。」によれば、刊行物１には、
　青色フィルター素子Ｂの有効面積を最も大きくし、赤色フィルター素子Ｒの有効面積を最も小さくすることで、各フィルター素子Ｒ、Ｇ、Ｂの有効面積が青色（Ｂ）、緑色（Ｇ）、赤色（Ｒ）の順の大きさとなるように、遮光層が形成されること
が記載されているといえる。
　
　以上を総合すると、刊行物１には、
　『遮光層は、固体撮像素子の感光部の相対感度が最も悪い青色に色分離する青色フィルター素子Ｂの有効面積を最も大きくし、相対感度が最も良い赤色に色分離する赤色フィルター素子Ｒの有効面積を最も小さくすることで、各フィルター素子Ｒ，Ｇ，Ｂの有効面積が青色（Ｂ）、緑色（Ｇ）、赤色（Ｒ）の順の大きさとなるように、形成される』
ことが記載されている。
　
（ｆ）刊行物１発明
　上記（ａ）〜（ｅ）によれば、刊行物１には、次の「刊行物１発明」が記載されていると認められる。
　
　「撮像レンズにより被写体を感光部領域に結像させる固体撮像素子であって、各画素に対向させてモザイク状あるいはストライプ状のフィルター素子Ｒ、Ｇ、Ｂを配置することによりカラー信号が取り出され、受光面に存在する感光部が各画素を構成する固体撮像素子と、
　固体撮像素子の受光面に存在する感光部上に色分離フィルター素子Ｒ、Ｇ、Ｂが形成される色分離フィルターと、
　色分離フィルターのフィルター素子Ｒ、Ｇ、Ｂの上又は下に設けられ、固体撮像素子の分光感度特性による出力レベルの変化に応じてフィルター素子Ｒ、Ｇ、Ｂの有効面積を調整する遮光層とを備え、
　遮光層は、固体撮像素子の感光部の相対感度が最も悪い青色に色分離する青色フィルター素子Ｂの有効面積を最も大きくし、相対感度が最も良い赤色に色分離する赤色フィルター素子Ｒの有効面積を最も小さくすることで、各フィルター素子Ｒ，Ｇ，Ｂの有効面積が青色（Ｂ）、緑色（Ｇ）、赤色（Ｒ）の順の大きさとなるように、形成される
　カラー固体撮像素子板。」
　
（３）対比
　本件発明と刊行物１発明とを対比する。
　
（ａ）「固体撮像装置」
　刊行物１発明と本件発明とは、ともに「固体撮像装置」に関するものといえる。
　
（ｂ）「入射光に応じた電気信号を生成する複数の受光素子が２次元に配列された撮像手段」
　刊行物１発明において、「固体撮像素子」は、「撮像レンズにより被写体を」「結像させる」ものであり、
　「固体撮像素子」の「感光部が」「構成する」「各画素に対向させて」「配置」された「モザイク状あるいはストライプ状のフィルター素子Ｒ、Ｇ、Ｂ」を通して、「被写体」像が「固体撮像素子の受光面に存在する感光部」に入射されて「カラー信号が取り出され」る。
　すなわち、刊行物１発明の「固体撮像素子」は、「被写体を」「結像させる」ものであるから、撮像手段といえ、
　「被写体」像が「固体撮像素子の受光面に存在する感光部」に入射されて「カラー信号が取り出され」ることから、刊行物１発明の「固体撮像素子」は、入射光に応じた電気信号を生成するものといえ、
　「固体撮像素子」の「感光部が」「構成する」「各画素に対向させて」「モザイク状あるいはストライプ状のフィルター素子Ｒ、Ｇ、Ｂ」が「配置」されているから、「固体撮像素子」の複数の「感光部」は、２次元に配列されているといえ、
　刊行物１発明の「固体撮像素子」の「感光部」は、受光素子といい得るものである。
　そうすると、刊行物１発明と本件発明とは、ともに「入射光に応じた電気信号を生成する複数の受光素子が２次元に配列された撮像手段」を備えるといえる。
　
（ｃ）「前記複数の受光素子のそれぞれに対応して分解色に応じて配列された色分解フィルタセグメントを有し、該色フィルタセグメントのそれぞれは、被写界からの入射光を各分解色の内のいずれかの色の入射光に分解して前記複数の受光素子のそれぞれに入射させる色分解フィルタ」
　刊行物１発明において、「色分離フィルター」には、「固体撮像素子の受光面に存在する感光部上に色分離フィルター素子Ｒ、Ｇ、Ｂが形成され」ており、
　「色分離フィルター素子Ｒ、Ｇ、Ｂ」は、「モザイク状あるいはストライプ状」に「配置」される。
　すなわち、刊行物１発明の「色分離フィルター」は、入射光を色分解するものであるから、色分解フィルタといえ、
　「色分離フィルター」には、「固体撮像素子の」「感光部上に」「形成され」た「色分離フィルター素子Ｒ、Ｇ、Ｂ」が「モザイク状あるいはストライプ状」に「配置」されるものであるから、刊行物１発明の「色分離フィルター」は、複数の受光素子のそれぞれに対応して分解色に応じて配列された「色分離フィルター素子Ｒ、Ｇ、Ｂ」を有するといえ、
　一般的に、「色分離フィルター素子Ｒ、Ｇ、Ｂ」とは、被写界からの入射光を赤色、緑色、青色の内のいずれかの色の入射光に色分解するものであるから、刊行物１発明の「色分離フィルター素子Ｒ、Ｇ、Ｂ」は、被写界からの入射光を色分解して複数の受光素子のそれぞれに入射させているといえ、
　刊行物１発明の「色分離フィルター素子」は、色分解フィルタセグメントといい得るものである。
　そうすると、刊行物１発明と本件発明とは、ともに「複数の受光素子のそれぞれに対応して分解色に応じて配列された色分解フィルタセグメントを有し、該色フィルタセグメントのそれぞれは、被写界からの入射光を各分解色の内のいずれかの色の入射光に分解して前記複数の受光素子のそれぞれに入射させる色分解フィルタ」を備えるといえる。
　
（ｄ）「前記受光素子の入射光の側に配設され、前記受光素子の分解色のそれぞれの光電変換効率に応じた形状を有する導光部材」
　刊行物１発明において、「遮光層」は、「色分離フィルターのフィルター素子Ｒ、Ｇ、Ｂの上又は下に設けられ」、
　「固体撮像素子の分光感度特性による出力レベルの変化に応じてフィルター素子Ｒ、Ｇ、Ｂの有効面積を調整する」ために、「遮光層」が「形成される」。
　すなわち、刊行物１発明の「遮光層」は、「フィルター素子Ｒ、Ｇ、Ｂの有効面積を調整する」ために「形成される」ものであり、「遮光層」には開口が形成されているといえることから、刊行物１発明の「遮光層」は、“開口が形成された部材”といい得るものであり、
　刊行物１発明の「遮光層」は、「色分離フィルターのフィルター素子Ｒ、Ｇ、Ｂの上又は下に設けられ」ているから、受光素子の入射光の側に配設されているといえ、
　「遮光層」の大きさに基づいて「調整」される「フィルター素子Ｒ、Ｇ、Ｂの有効面積」とは、「固体撮像素子の分光感度特性による出力レベルの変化に応じて」いるものであるから、この「遮光層」は、「固体撮像素子の分光感度特性による出力レベルの変化に応じ」た形状を有しているといえ、
　「固体撮像素子の分光感度特性による出力レベルの変化」とは、「固体撮像素子」が有する「分光感度特性」に基づいて、「色分離フィルターのフィルター素子Ｒ、Ｇ、Ｂ」によって色分離された各色の入射光に対応する「固体撮像素子」の「出力レベル」が「変化」することであるから、受光素子の分解色のそれぞれの光電変換効率ということができる。
　
　一方、本件発明の「導光部材」は、入射光を導光して受光素子に照射するための部材であり、開口が形成されていることから、本件発明の「導光部材」も、“開口が形成された部材”といえる。
　
　そうすると、刊行物１発明と本件発明とは、ともに「受光素子の入射光の側に配設され、前記受光素子の分解色のそれぞれの光電変換効率に応じた形状を有する、開口が形成された部材」を備えるといえる。
　もっとも、開口が形成された部材が、本件発明は、「導光部材」であるのに対して、刊行物１発明は、「遮光層」である点で、相違が認められる。
　
（ｅ）「前記導光部材は、前記受光素子の感度が最も低い色分解の赤色フィルタセグメントを有する受光素子での前記入射光の照射量を最も多くする形状にし、次に青色フィルタセグメント、さらに緑色フィルタセグメントを有する受光素子の感度が高くなるにつれて前記入射光の照射量を少なくする形状にする」
　刊行物１発明において、「遮光層」は、「各フィルター素子Ｒ，Ｇ，Ｂの有効面積が青色（Ｂ）、緑色（Ｇ）、赤色（Ｒ）の順の大きさとなるように、形成される」ものであり、
　「固体撮像素子の感光部の相対感度が最も悪い青色に色分離する青色フィルター素子Ｂの有効面積を最も大きくし、相対感度が最も良い赤色に色分離する赤色フィルター素子Ｒの有効面積を最も小さくする」ものである。
　すなわち、刊行物１発明は、
・「固体撮像素子の感光部の相対感度が最も悪い」「青色フィルター素子」「の有効面積を最も大きく」し、「相対感度が最も良い」「赤色フィルター素子」「の有効面積を最も小さくする」ものであることから、「固体撮像素子の感光部の相対感度が」高くなるにつれて「フィルター素子Ｒ，Ｇ，Ｂの有効面積」が「青色フィルター素子」、「緑色」「フィルター素子」、「赤色フィルター素子」の順で小さくなること、
・「フィルター素子」「の有効面積」を「大きく」するとは、「固体撮像素子」の感光部に入射される入射光の照射量が多くなり、「フィルター素子」「の有効面積」を小さくするとは、「固体撮像素子」の感光部に入射される入射光の照射量が少なくなること、
・「遮光部」の大きさ（形状）によって、「フィルター素子」「の有効面積」の大きさ、すなわち、「固体撮像素子」の感光部に入射される入射光の照射量が制御されること、
　がいえ、
　これらのことから、刊行物１発明は、遮光層は、「固体撮像素子の感光部の相対感度」が最も低い色分解の「青色フィルター素子」を有する「固体撮像素子の感光部」での入射光の照射量を最も多くする形状にし、次に「緑色」「フィルター素子」、さらに「赤色フィルター素子」を有する「固体撮像素子の感光部の相対感度」が高くなるにつれて入射光の照射量を少なくする形状にするものといえる。
　
　また、刊行物１発明の「固体撮像素子の感光部の相対感度」は、本件発明の「受光素子の感度」に相当し、
　刊行物１発明の「フィルター素子」は、本件発明の「フィルタセグメント」に相当する。
　
　さらに、上記（ｄ）のとおり、刊行物１発明の「遮光層」は、“開口が形成された部材”といえ、一方、本件発明の「導光部材」も、“開口が形成された部材”といえる。
　
　以上によると、刊行物１発明と本件発明とは、ともに「開口が形成された部材は、受光素子の感度が最も低い色分解のフィルタセグメントを有する受光素子での入射光の照射量を最も多くする形状にし、受光素子の感度が高くなるにつれて前記入射光の照射量を少なくする形状にする」といえる。
　もっとも、上記（ｄ）のとおり、開口が形成された部材が、本件発明は、「導光部材」であるのに対して、刊行物１発明は、「遮光層」である点で、相違が認められる。
　さらに、本件発明は、受光素子の感度が最も低い色分解のフィルタセグメントが、「赤色フィルタセグメント」であり、受光素子の感度が高くなるのは、「次に青色フィルタセグメント、さらに緑色フィルタセグメントを有する受光素子」であるのに対して、刊行物１発明は、受光素子の感度が最も低い色分解のフィルタセグメントが、「青色フィルタセグメント」であり、受光素子の感度が高くなるのは、「次に緑色フィルタセグメント、さらに赤色フィルタセグメントを有する受光素子」である点で、相違が認められる。
　
（４）一致点・相違点
　本件発明と刊行物１発明との一致点及び相違点は、次のとおりである。
　
［一致点］
　入射光に応じた電気信号を生成する複数の受光素子が２次元に配列された撮像手段と、
　複数の受光素子のそれぞれに対応して分解色に応じて配列された色分解フィルタセグメントを有し、該色フィルタセグメントのそれぞれは、被写界からの入射光を各分解色の内のいずれかの色の入射光に分解して前記複数の受光素子のそれぞれに入射させる色分解フィルタと、
　受光素子の入射光の側に配設され、前記受光素子の分解色のそれぞれの光電変換効率に応じた形状を有する、開口が形成された部材と、を含み、
　開口が形成された部材は、受光素子の感度が最も低い色分解のフィルタセグメントを有する受光素子での入射光の照射量を最も多くする形状にし、受光素子の感度が高くなるにつれて前記入射光の照射量を少なくする形状にする、固体撮像装置。
　
［相違点１］
　開口が形成された部材が、本件発明は、「導光部材」であるのに対して、刊行物１発明は、「遮光層」である点。
　
［相違点２］
　本件発明は、受光素子の感度が最も低い色分解のフィルタセグメントが、「赤色フィルタセグメント」であり、受光素子の感度が高くなるのは、「次に青色フィルタセグメント、さらに緑色フィルタセグメントを有する受光素子」であるのに対して、刊行物１発明は、受光素子の感度が最も低い色分解のフィルタセグメントが、「青色フィルタセグメント」であり、受光素子の感度が高くなるのは、「次に緑色フィルタセグメント、さらに赤色フィルタセグメントを有する受光素子」である点
　
（５）判断
（ア）相違点１について
　刊行物１発明は、開口が形成された部材が、遮光層である。
　
　ここで、本願明細書には、「導光部材」に関して、以下の記載がある。
　
「【０００９】
　さらに、導光部材は、撮像手段を遮光するとともに、前記受光素子の受光領域だけ開口させた遮光部材を用い、遮光部材は、受光素子の感度が最も低い分解色での前記受光領域の開口率を最大にし、他の各分解色の感度が高くなるにつれて開口率を小さくすると有利である。たとえば、原色信号に色分解する場合、受光素子の感度に応じて受光領域の開口率を色R で最も大きくして入射光の光量を通常の光量よりも多くし、色B, Gの順に光量を少なくするとよい。これにより、上述したように入射光の光量が色毎に調整されるので、感度制御が行われる。」
（本願明細書の記載、以上）
　
　上記【０００９】によれば、本願明細書には、「導光部材」として、「受光素子の受光領域だけ開口させた遮光部材を用い」、「受光素子の感度に応じて受光領域の開口率を」「大きく」したり「小さく」することで、「入射光の光量が色毎に調整」できることが記載されている。
　すなわち、本件発明の「導光部材」は、受光素子の受光領域だけ開口させた遮光部材を用いたものを含んでいると認められる。
　
　一方、当審の拒絶の理由に引用された特開平９−１１６１２７号公報（以下、「刊行物２」ともいう。）には、図面と共に以下の記載がある。
　
「【０００４】
　シリコン等の半導体基板１上に第１層ポリシリコンゲート３および第２層ポリシリコンゲート４を形成し、これらゲート電極をマスクとしてセルフアラインでイオン注入および活性化熱処理等を施すことにより、光センサ部２を形成する。つぎに全面にアルミニウム等の金属膜を堆積し、光センサ部２上部を開口して遮光層５を形成する。遮光層の開口平面形状は一例として１．５μｍ×２．５μｍの長方形である。・・・」
　
「【００３４】
　かかる遮光層の平面形状は、遮光層パターニング用のレジストパターン露光用マスクの設計により容易に実現できる。このような遮光層の開口面積の制御によっても、各遮光層の透過光量を異ならしめるて光センサ部への入射光量を制御することが可能となり、ホワイトバランスに優れた固体撮像装置を得ることができる。」
（刊行物２の記載、以上）
　
　上記【０００４】、【００３４】によれば、刊行物２には、「半導体基板１上」に、「光センサ部２上部を開口して」「形成」される「遮光層５」であって、「遮光層の開口面積」を「制御」することで「光センサ部への入射光量を制御する」ことができる「遮光層５」が記載されている。
　すなわち、刊行物２には、半導体基板上に、光センサ部の上部を開口して形成することで、光センサ部のみに入射光を照射することができる遮光層が記載されている。
　さらに、刊行物２の「遮光層」は、光センサ部のみに入射光を照射するものであるから、「導光部材」といい得ることは明らかである。
　以上によれば、刊行物２には、開口が形成された導光部材が記載されている。
　
　そして、刊行物１、２に記載された発明は、いずれも受光素子の技術分野に属するとともに、受光素子の感光部に入射される入射光の照射量を制御することを目的とするものであるから、刊行物１発明において刊行物２の上記構成を適用する動機付けは存在するといえる。
　そうすると、上述のように本件発明の「導光部材」は、受光素子の受光領域だけ開口させた遮光部材を用いたものを含んでいるのだから、刊行物１発明の“開口が形成された部材”として引用文献２に記載された導光部材を適用することにより、本件発明のように、受光素子の入射光の側に配設され、前記受光素子の分解色のそれぞれの光電変換効率に応じた形状を有する導光部材を備える構成とすることは、当業者が容易になし得るものである。
　
（イ）相違点２について
　刊行物１発明は、受光素子の感度が最も低い色分解のフィルタセグメントが、青色フィルタセグメントであり、受光素子の感度が高くなるのは、次に緑色フィルタセグメント、さらに赤色フィルタセグメントを有する受光素子である。
　
　一方、特開平９−８３７２６号公報には、図面と共に以下の記載がある。
　
「【００１６】
　カラーイメージセンサの３色分光特性は、イメージセンサ基板の分光感度特性とカラーフィルタの分光透過率と光源の分光分布を各波長で掛け合わせ、さらに、原稿とイメージセンサとの間に光を透過するものがあるときはその、分光透過率を掛ける必要がある。さらに、図１に示したようなイメージセンサにカラーフィルタを貼り合わせるタイプのカラーイメージセンサの場合は、カラーフィルタを貼り合わせる接着剤６の分光透過率を掛けることが必要になる。すなわち、接着剤６も３色分光特性に関係しており、通常、可視光の全領域で透過率の高いものを用いていた。しかし、本発明の第１の実施の形態では、逆に接着剤６に顔料粒子や染料を混ぜ、３色分光特性が所望の値となるように調整する。
【００１７】
　図２は、カラーフィルタの分光透過率曲線の一例を示すグラフ、図３は、受光素子の分光感度特性の一例を示すグラフ、図４は、透過率の高い接着剤を用いた場合のイメージセンサにおける受光感度の一例を示すグラフである。いま、図２に示すような透過率曲線を有するカラーフィルタを用いることとする。このカラーフィルタは、単体では図２に示すように良好な透過率特性を有している。しかし、カラーイメージセンサの３色分光特性を考える場合は、上述のように、イメージセンサの分光感度特性やその他の各層の透過率に依存する。ここでは、各受光素子は図３に示すような分光感度特性を有するものとする。さらに、原稿を照らす光源の分光分布特性も影響する。図４において、一点鎖線で示したグラフが光源として用いた昼光色蛍光灯の分光分布特性である。このような光源を用い、図２に示すような透過率特性を有するカラーフィルタを用い、各色のフィルタを介して図３に示すような分光感度特性を有する受光素子によって受光される。
【００１８】
　接着剤に顔料や染料を混入せず、可視光領域で透過率の高い接着剤を用いた場合、各受光素子によって受光され、電気信号に変換される際の受光感度は、図４に示すようになる。図４において、モノクロセンサでの受光時の分光感度を二点鎖線で示している。また、カラーの読み取りにおいて、それぞれの色の受光感度を、青のフィルタに対応した受光素子の場合を実線で、緑のフィルタに対応した受光素子の場合を破線で、赤のフィルタに対応した受光素子の場合を点線で示している。このとき、青、緑、赤の感度比は、Ｂ：Ｇ：Ｒ＝０．７０：１．００：０．５９となり、色バランスが崩れていることがわかる。このときのモノクロセンサでの読み取りと比べると、比率はＢ：Ｇ：Ｒ＝０．２４９：０．３５５：０．２１０となる。このように色バランスが崩れている場合、従来では、青、緑、赤の各色の感度比が近似した値になるように、カラーフィルタの作り直しを行なったり、あるいはイメージセンサの画素面積を変える設計変更の必要が生じていた。」
（特開平９−８３７２６号公報の記載、以上）
　
　上記【００１６】〜【００１８】によれば、特開平９−８３７２６号公報には、「受光素子の」「感度比」が、「Ｂ：Ｇ：Ｒ＝０．７０：１．００：０．５９」となることが記載されている。
　すなわち、上記特開平９−８３７２６号公報には、受光素子の感度比が、赤色（Ｒ）が最も低く、続いて青色（Ｂ）、緑色（Ｇ）の順で高くなることが記載されている。
　
　また、上記刊行物２には、図面と共に以下の記載がある。
　
「【０００９】
　【発明が解決しようとする課題】
　かかるオンチップカラーフィルタ層を有する固体撮像装置においては、良好なホワイトバランスをとるためには、例えばＢのカラーフィルタ層を透過して光センサに入射する光量、Ｇのカラーフィルタ層を透過して光センサに入射する光量およびＲのカラーフィルタ層を透過して光センサに入射する光量の割合を、ある一定の範囲内におさめる必要がある。これを図５（ａ）〜（ｃ）を参照して説明する。
【００１０】
　まず、Ｓｉ光電変換素子による光センサの感度の分光感度特性は、図５（ａ）に示される。なお、図５（ａ）に示した分光感度特性は、スミア防止等のための赤外線カットフィルタ込みの特性である。」
（刊行物２の記載、以上）
　
　さらに、刊行物２の図５（ａ）には、
　光センサ感度は、入射される光の波長が赤色（Ｒ）に相当するときに最も低く、続いて青色（Ｂ）、緑色（Ｇ）の順で高くなること
　が開示されているといえる。
　
　上記【０００９】、【００１０】、及び、図５（ａ）によれば、刊行物２には、「Ｒ」、「Ｇ」、「Ｂ」の各「カラーフィルタ層を透過」した光が「入射」される「光センサ」であって、「光センサ感度は、入射される光の波長が赤色（Ｒ）に相当するときに最も低く、続いて青色（Ｂ）、緑色（Ｇ）の順で高くなる」「光センサ」が記載されている。
　さらに、刊行物２に記載された発明の「光センサ」、「光センサ感度」、「カラーフィルタ層」は、本件発明の「受光素子」、「受光素子の感度」、「フィルタセグメント」に相当することは明らかである。
　そうすると、刊行物２には、Ｒ、Ｇ、Ｂの各フィルタセグメントを透過した光が入射される受光素子であって、受光素子の感度は、入射される光の波長が赤色（Ｒ）に相当するときに最も低く、続いて青色（Ｂ）、緑色（Ｇ）の順で高くなる受光素子が記載されている。
　
　さらに、本願明細書の従来例には、以下の記載がある。
　
「【０００３】
　ところで、カラー撮像する場合、固体撮像装置は、忠実に３色（ＲＧＢ）に色分解して色を再現している。このため、屋外の太陽光の下で撮像する場合と室内の白色ランプの照明下では、当然色バランスが特に考慮されていないので、色バランスが変わってくる。実際に、たとえば、通常５０００Ｋ〜６０００Ｋの色温度の入射光が入射させ、固体撮像装置に電荷結合素子（ＣＣＤ）が用いられた場合、色バランスは、得られる各色ＲＧＢ毎の撮像信号において、レベル比がＲ：Ｇ：Ｂ＝０．７：１：０：８という関係にあることが知られている。このように、色バランスが異なっているので、後段の信号処理部で白バランスをとるとき、この撮像信号の各色RGB 毎にレベル比をＲ：Ｇ：Ｂ＝１：１：１になるようにゲイン調整が行われる。」
（本願明細書の従来例、以上）
　
　上記【０００３】によれば、本願明細書の従来例には、本件出願時において、「ＲＧＢ毎の撮像信号」の「レベル比がＲ：Ｇ：Ｂ＝０．７：１：０：８」となる「電荷結合素子（ＣＣＤ）」が「知られている」ことが記載されている。
　すなわち、上記ＲＧＢ毎の撮像信号のレベル比は、色分解フィルタを介した色に応じて異なる受光素子の感度によって決まるものであるから、本願明細書の従来例には、本件出願時において、受光素子の感度が、赤色（Ｒ）に相当するときに最も低く、続いて青色（Ｂ）、緑色（Ｇ）の順で高くなる受光素子が知られていることが記載されている。
　
　そして、上記特開平９−８３７２６号公報、刊行物２、本願明細書の従来例にみられるように、受光素子の技術分野において、受光素子の感度が、赤色（Ｒ）に相当するときに最も低く、続いて青色（Ｂ）、緑色（Ｇ）の順で高くなる受光素子は、周知であり、さらに、受光素子の用途に応じて、または製造工程の違いなどによって、分光感度特性の異なる受光素子が存在していることは、受光素子の技術分野において普通に知られていることであるから、刊行物１発明において上記周知の受光素子を適用する動機付けは存在するといえる。
　そうすると、刊行物１発明の受光素子に代えて、上記周知の受光素子を用いることで、本件発明のように、受光素子の感度が最も低い色分解のフィルタセグメントが、赤色フィルタセグメントであり、受光素子の感度が高くなるのは、次に青色フィルタセグメント、さらに緑色フィルタセグメントを有する受光素子とすることは、当業者が容易になし得るものである。
　
（６）効果等
　以上のとおり、相違点１、２に係る構成はいずれも当業者が容易に想到できるものである。そして、これらの相違点に係る構成を総合しても、本件発明が奏する効果は、当業者が容易に予測できるものである。
　
（７）まとめ
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　よって、補正却下の決定の結論のとおり決定する。
　
第３　本願発明
　
　平成１９年８月３０日付けの手続補正は上記のとおり却下されたので、本願の請求項１ないし５に係る発明は、平成１９年３月２２日付け手続補正書により補正された特許請求の範囲の請求項１ないし５に記載された事項により特定されるとおりであるところ、そのうち請求項１に係る発明（以下、「本願発明」という。）は、以下のとおりのものである。
　
　「【請求項１】　入射光に応じた電気信号を生成する複数の受光素子が２次元に配列された撮像手段と、
　前記複数の受光素子のそれぞれに対応して分解色に応じて配列された色分解フィルタセグメントを有し、該色フィルタセグメントのそれぞれは、被写界からの入射光を各分解色の内のいずれかの色の入射光に分解して前記複数の受光素子のそれぞれに入射させる色分解フィルタと、
　前記受光素子の入射光の側に配設され、前記受光素子の分解色のそれぞれの光電変換効率に応じた形状を有する導光部材とを含み、
　前記導光部材は、前記受光素子の感度が最も低い分解色での前記入射光の照射量を最も多くする形状にし、他の各分解色の感度が高くなるにつれて前記入射光の照射量を少なくする形状にすることを特徴とする固体撮像装置。」
　
第４　検討
　
１　刊行物１の記載
　原査定の拒絶の理由で引用された刊行物１及びその記載事項は、上記「第２［理由］４（１）」に記載したとおりである。
　
２　刊行物１に記載された発明
　刊行物１に記載された発明として、上記「第２［理由］４（２）」のとおり「刊行物１発明」を認定する。
　
３　対比
　本願発明と刊行物１発明とを対比する。
　
（１）「固体撮像装置」
　上記「第２［理由］４（３）（ａ）」と同様である。
　
（２）「入射光に応じた電気信号を生成する複数の受光素子が２次元に配列された撮像手段」
　上記「第２［理由］４（３）（ｂ）」と同様である。
　
（３）「前記複数の受光素子のそれぞれに対応して分解色に応じて配列された色分解フィルタセグメントを有し、該色フィルタセグメントのそれぞれは、被写界からの入射光を各分解色の内のいずれかの色の入射光に分解して前記複数の受光素子のそれぞれに入射させる色分解フィルタ」
　上記「第２［理由］４（３）（ｃ）」と同様である。
　
（４）「前記受光素子の入射光の側に配設され、前記受光素子の分解色のそれぞれの光電変換効率に応じた形状を有する導光部材」
　上記「第２［理由］４（３）（ｄ）」と同様である。
　すなわち、刊行物１発明と本願発明とは、ともに「受光素子の入射光の側に配設され、前記受光素子の分解色のそれぞれの光電変換効率に応じた形状を有する、開口が形成された部材」を備えるといえ、
　開口が形成された部材が、本願発明は、「導光部材」であるのに対して、刊行物１発明は、「遮光層」である点で、相違が認められる。
　
（５）「前記導光部材は、前記受光素子の感度が最も低い分解色での前記入射光の照射量を最も多くする形状にし、他の各分解色の感度が高くなるにつれて前記入射光の照射量を少なくする形状にする」
　刊行物１において、「遮光層」は、「各フィルター素子Ｒ，Ｇ，Ｂの有効面積が青色（Ｂ）、緑色（Ｇ）、赤色（Ｒ）の順の大きさとなるように、形成される」ものであり、
　「固体撮像素子の感光部の相対感度が最も悪い青色に色分離する青色フィルター素子Ｂの有効面積を最も大きくし、相対感度が最も良い赤色に色分離する赤色フィルター素子Ｒの有効面積を最も小さくする」ものである。
　すなわち、刊行物１発明は、
・「固体撮像素子の感光部の相対感度が最も悪い」「フィルター素子」「の有効面積を最も大きく」し、「相対感度が最も良い」「フィルター素子」「の有効面積を最も小さくする」ものであることから、「固体撮像素子の感光部の相対感度が」高くなるにつれて「フィルター素子Ｒ，Ｇ，Ｂの有効面積」が小さくなること、
・「フィルター素子」「の有効面積」を「大きく」するとは、「固体撮像素子」の感光部に入射される入射光の照射量が多くなり、「フィルター素子」「の有効面積」を小さくするとは、「固体撮像素子」の感光部に入射される入射光の照射量が少なくなること、
・「遮光部」の大きさ（形状）によって、「フィルター素子」「の有効面積」の大きさ、すなわち、「固体撮像素子」の感光部に入射される入射光の照射量が制御されること、
　がいえ、
　これらのことから、刊行物１発明は、遮光層は、「固体撮像素子の感光部の相対感度」が最も低い分解色での入射光の照射量を最も多くする形状にし、他の分解色の「固体撮像素子の感光部の相対感度」が高くなるにつれて入射光の照射量を少なくする形状にするものといえる。
　
　また、刊行物１発明の「固体撮像素子の感光部の相対感度」は、本願発明の「受光素子の感度」に相当し、
　刊行物１発明の「フィルター素子」は、本願発明の「フィルタセグメント」に相当する。
　
　さらに、上記「第２［理由］４（３）（ｄ）」のとおり、刊行物１発明の「遮光層」は、“開口が形成された部材”といえ、一方、本願発明の「導光部材」も、“開口が形成された部材”といえる。
　
　以上によると、刊行物１発明と本願発明とは、ともに「開口が形成された部材は、受光素子の感度が最も低い分解色での入射光の照射量を最も多くする形状にし、他の各分解色の感度が高くなるにつれて前記入射光の照射量を少なくする形状にする」といえる。
　もっとも、上記「第４　３（４）のとおり、開口が形成された部材が、本願発明は、「導光部材」であるのに対して、刊行物１発明は、「遮光層」である点で、相違が認められる。
　
４　一致点・相違点
　本願発明と刊行物１発明との一致点及び相違点は、次のとおりである。
　
［一致点］
　入射光に応じた電気信号を生成する複数の受光素子が２次元に配列された撮像手段と、
　複数の受光素子のそれぞれに対応して分解色に応じて配列された色分解フィルタセグメントを有し、該色フィルタセグメントのそれぞれは、被写界からの入射光を各分解色の内のいずれかの色の入射光に分解して前記複数の受光素子のそれぞれに入射させる色分解フィルタと、
　受光素子の入射光の側に配設され、前記受光素子の分解色のそれぞれの光電変換効率に応じた形状を有する、開口が形成された部材と、を含み、
　開口が形成された部材は、受光素子の感度が最も低い分解色での入射光の照射量を最も多くする形状にし、他の各分解色の感度が高くなるにつれて前記入射光の照射量を少なくする形状にする固体撮像装置。
　
［相違点］
　開口が形成された部材が、本願発明は、「導光部材」であるのに対して、刊行物１発明は、「遮光層」である点。
　
５　判断
　［相違点］については、本件発明に係る相違点１の判断（上記「第２［理由］４（５）」）と同様である。
　
６　効果等
　以上のとおり、相違点に係る構成は当業者が容易に想到できるものである。そして、本願発明が奏する効果は、当業者が容易に予測できるものである。
　
７　まとめ
　したがって、本願発明は、刊行物１、２に記載された発明に基づいて当業者が容易に発明をすることができたものである。
　
第５　むすび
　以上のとおり、本願の請求項１に係る発明は、刊行物１、２に記載された発明に基づいて当業者が容易に発明をすることができたものであるから、特許法第２９条第２項の規定により特許を受けることができない。
　したがって、本願は、請求項２ないし５に係る発明について検討するまでもなく、拒絶をすべきものである。
　
　よって、結論のとおり審決する。